(57)【特許請求の範囲】
【請求項１】
被係止部が設けられ、かつ電気機器を収納するケース本体と、
係止部が設けられた可撓性フックを有するカバーと、
前記可撓性フックの可撓性を利用して前記被係止部に前記係止部を引っ掛けて係止状態とすることにより前記ケース本体に前記カバーを装着するスナップフィット機構と、
前記被係止部と前記係止部との係止状態を解除する方向に前記可撓性フックを撓ませる際の撓み量を規制する撓み規制部と、
を備え、
前記スナップフィット機構は、前記ケース本体に設けられたフック挿入孔に前記可撓性フックの長尺方向に沿って前記ケース本体の前記カバー側から前記可撓性フックを挿入し、前記ケース本体のカバー側とは反対側の内部において前記被係止部と前記係止部とが係止することによって前記ケース本体に前記カバーを装着し、
前記撓み規制部は、前記ケース本体の前記フック挿入孔における側壁で構成されていることを特徴とする電気機器用収納ケース。
【請求項２】
前記被係止部は前記ケース本体の前記フック挿入孔における縁部で構成され、
前記係止部は前記可撓性フックに設けられた突起で構成されていることを特徴とする請求項１に記載の電気機器用収納ケース。
【請求項３】
前記スナップフィット機構は、前記可撓性フックが前記ケース本体の内側に撓むことにより前記係止部と前記被係止部との係止状態を解除するように構成されていることを特徴とする請求項１又は請求項２に記載の電気機器用収納ケース。
【請求項４】
前記カバーは、平面が方形状の天板部と、前記天板部の各々の角部に設けられた脚部とを有し、
前記可撓性フックは前記脚部で構成されていることを特徴とする請求項１乃至請求項３の何れか１項に記載の電気機器用収納ケース。
【請求項５】
前記カバーは、平面が方形状の天板部と、前記天板部の各々の角部に設けられた脚部と、前記天板部の縁に設けられた前記可撓性フックとを有することを特徴とする請求項１乃至請求項３の何れか１項に記載の電気機器用収納ケース。
【請求項６】
前記ケース本体は、前記電気機器を収納したときに前記電気機器の外部接続用導体部が露出する導体部用貫通孔を有し、
前記カバーは、前記導体部用貫通孔を覆う位置で前記ケース本体に装着されることを特徴とする請求項１乃至請求項５の何れか１項に記載の電気機器用収納ケース。
【請求項７】
前記ケース本体に前記カバーを位置決めする位置決め用突起部を更に備え、
前記位置決め用突起部は、前記係止部に前記被係止部を係止したときに、前記可撓性フックの内側で前記撓み規制部と共に前記可撓性フックと対向する位置に配置されていることを特徴とする請求項１乃至請求項６の何れか１項に記載の電気機器用収納ケース。
【請求項８】
被係止部が設けられ、かつ電気機器を収納するケース本体と、
係止部が設けられた可撓性フックを有するカバーと、
前記可撓性フックの可撓性を利用して前記被係止部に前記係止部を引っ掛けて係止状態とすることにより前記ケース本体に前記カバーを装着するスナップフィット機構と、
前記被係止部と前記係止部との係止状態を解除する方向に前記可撓性フックを撓ませる際の撓み量を規制する撓み規制部と、
前記ケース本体に前記カバーを位置決めする位置決め用突起部と、
を備え、
前記位置決め用突起部は、前記ケース本体に設けられ、かつ前記係止部に前記被係止部を係止したときに、前記可撓性フックの内側で前記撓み規制部と共に前記可撓性フックと対向する位置に配置されていることを特徴とする電気機器用収納ケース。
【発明の詳細な説明】
【技術分野】
【０００１】
本発明は、電気機器用収納ケースに関し、特に、ケース本体にスナップフィット機構により装着されるカバーを備えた電気機器用収納ケースに関するものである。
【背景技術】
【０００２】
電気機器用収納ケースにおいては、例えばケース本体に配置された外部接続用導体部（充電部）に作業者が触れないように保護する目的でカバーを備えたものが知られている。特許文献１には、電磁接触器のケース本体に装着するカバーを箱形に構成して外部接続用導体部への作業者の接触を防止する技術が開示されている。また、同特許文献１には、ケース本体にスナップフィット機構によりカバーを装着する技術も開示されている。このスナップフィット機構は、カバーに設けられたフックの先端部（係止部）をその可撓性を利用してケース本体の爪（被係止部）に引っ掛けることにより、ケース本体にカバーを装着するように構成されている。
【先行技術文献】
【特許文献】
【０００３】
【特許文献１】特開平６−３６６６３号公報
【発明の概要】
【発明が解決しようとする課題】
【０００４】
ところで、引用文献１のようにフックの可撓性を利用したスナップフィット機構では、フックと爪との引っ掛かり状態（係止状態）を解除する方向にフックをマイナスのねじ回し等の工具で撓ませることによりケース本体からカバーを容易に取り外すことができる。
しかしながら、係止状態を解除する方向に撓むフックの撓み量が大きいとフックが折れてしまい、カバーが破損するといった不具合を生じることがある。フックの折れは、フックが長尺状の場合において顕著になる。また、フックの撓み量が小さいと、フックと爪との引っ掛かり状態を上手く解除することが困難になる。
本発明の目的は、可撓性フックの折損を抑制することが可能な電気機器用収納ケースを提供することにある。
【課題を解決するための手段】
【０００５】
上記目的を達成するため、本発明の一態様に係る電気機用収納ケースは、被係止部が設けられ、かつ電気機器を収納するケース本体と、係止部が設けられた可撓性フックを有するカバーと、可撓性フックの可撓性を利用して被係止部に係止部を引っ掛けて係止状態とすることによりケース本体にカバーを装着するスナップフィット機構と、被係止部と係止部との係止状態を解除する方向に可撓性フックを撓ませる際の撓み量を規制する撓み規制部とを備える。
【発明の効果】
【０００６】
本発明によれば、可撓性フックの折損を抑制することが可能な電気機器用収納ケースを提供することができる。
【図面の簡単な説明】
【０００７】
【図１】本発明の第１の実施形態に係る電気機器用収納ケースの概略構成を示す斜視図である。
【図２】図１の電気機器用収納ケースにおいて、ケース本体からカバーを取り外して反転させた状態を示す斜視図である。
【図３】図３に示すケース本体の平面図である。
【図４】本発明の第１の実施形態に係る電気機器用収納ケースにおいて、ケース本体にカバーを位置決めした状態を示す断面図である。
【図５】図４の点線で囲んだ領域を拡大した要部断面図である。
【図６】被係止部と係止部との係止状態を示す要部断面図である。
【図７】被係止部と係止部との係止状態を解除する方向に可撓性フックを撓ませた状態を示す要部断面図である。
【図８】本発明の第１の実施形態に係る電気機器用収納ケースのケース本体に収納される電磁接触器の斜視図である。
【図９】本発明の第２の実施形態に係る電気機器用収納ケースにおいて、ケース本体からカバーを取り外した状態を示す斜視図である。
【図１０】本発明の第２の実施形態に係る電気機器用収納ケースにおいて、ケース本体からカバーを取り外して反転させた状態を示す斜視図である。
【発明を実施するための形態】
【０００８】
以下、図面を参照して本発明の第１及び第２の実施形態に係る電気機器用収納ケースについて説明する。第１及び第２の実施形態では、電気機器として電磁接触器の組み立てに用いられる電気機器用収納ケースを例示的に説明するが、この電磁接触器の組み立てに用いられる電気機器用収納ケースに限定されないことは勿論である。
【０００９】
なお、以下の第１及び第２の実施形態の説明及び添付図面において、同様の構成には同一符号を付し、重複する説明を省略する。また、第１及び第２の実施形態で説明される添付図面は、見易く又は理解し易くするために正確なスケール、寸法比で描かれていない。本発明はその要旨を超えない限り、以下に説明する第１及び第２の実施形態の記載に限定されるものではない。
また、以下の第１及び第２の実施形態では、同一平面内で互いに直交する第１及び第２方向をそれぞれＸ方向及びＹ方向と定義し、第１方向及び第２方向と直交する第３の方向をＺ方向と定義する。
【００１０】
(第１の実施形態)
図１乃至図５に示すように、本発明の第１の実施形態に係る電気機器用収納ケース１は、被係止部４（図４及び図５参照）が設けられ、かつ電気機器として図８に示す電磁接触器３を収納するケース本体２と、係止部７（図２，図４及び図５参照）が設けられた可撓性フック６を有するカバー５とを備えている。
【００１１】
また、第１の実施形態に係る電気機器用収納ケース１は、可撓性フック６の可撓性を利用して被係止部４に係止部７を引っ掛けて係止状態とすることによりケース本体２にカバー５を装着するスナップフィット機構８を備えている。
また、第１の実施形態に係る電気機器用収納ケース１は、被係止部４と係止部７との係止状態を解除する方向に可撓性フック６を撓ませる際の撓み量を規制する撓み規制部９(図４及び図５参照)を備えている。また、第１の実施形態に係る電気機器用収納ケース１は、ケース本体２にカバー５を装着する際に、ケース本体２に対してカバー５を位置決めするカバー位置決め用突起部１７(図４及び図５参照)を備えている。
【００１２】
ケース本体２は、主に、底部である下部が開放された有頂壁矩形箱状の上部ケース１５と、頂部である上部が開放された有底壁矩形箱状の下部ケース１１とで構成され、詳細に図示していないが、電磁接触器３の組立工程において、上部ケース１５及び下部ケース１１で形成されるキャビティの内部に電磁接触器３を収納する。図１乃至図４では、ケース本体２に電磁接触器３を収納した状態を示している。
【００１３】
図８に示すように、電磁接触器３は、主に、接点部３１と、この接点部３１に重なって配置され、接点部３１の可動接触子に連結軸を介して連結された可動プランジャを駆動する電磁コイル３７を備えた電磁石ユニット３５とで構成されている。
接点部３１は、詳細に図示していないが、一対の接点と、内部を消弧室として一対の接点を収納する筒体３２と、筒体３２の上部を閉塞する絶縁板３３とを有している。絶縁板３３には２つの貫通孔が形成され、これら貫通孔に一対の外部接続用導体部（充電部）３４が貫通して固定されている。一対の接点は、消弧室内で外部接続用導体部３４に固定された一対の固定接触子に設けられている一対の固定接点と、図８のＺ方方向に可動可能に配置された可動接触子に設けられ、一対の固定接点に接触可能に対向配置された一対の可動接点とを有している。
【００１４】
電磁石ユニット３５は、詳細に図示していないが、上部を開放した断面Ｕ字状の磁気ヨーク３６と、磁気ヨーク３６の上部開口部に橋架された上部磁気ヨークと、磁気ヨークの底板に配置された電磁コイル３７を巻装して中心開口部を設けたスプールと、スプールの中心開口部の軸方向に可動自在に配置され、復帰スプリングで付勢された可動プランジャとを有しており、接点部３１の可動接触子は、電磁石ユニット３５の可動プランジャに固定された連結軸に支持されている。また、電磁石ユニット３５は、電磁コイル３７に接続されたコイル端子３８を有している。このコイル端子３８は、磁気ヨーク３６の側板に設けられており、ケース本体２に電磁接触器３を収納した際、図１及び図２に示すように、ケース本体２から露出するようにケース本体２の外部に配置される。
【００１５】
下部ケース１１及び上部ケース１５は、絶縁性の合成樹脂を成形することによって形成されるものである。下部ケース１１は、図１乃至図４に示すように、外周側壁を構成する４つの側壁１１ａ，１１ｂ，１１ｃ，１１ｄと、この４つの側壁１１ａ，１１ｂ，１１ｃ，１１ｄが連結された底壁１１ｅとを有し、この底壁１１ｅと対向する上部側が開放された有底壁矩形箱状で構成されている。側壁１１ａ及び側壁１１ｂはＸ方向において互いに対向して配置され、側壁１１ｃ及び側壁１１ｄはＹ方向において互いに対向して配置されている。
【００１６】
下部ケース１１の側壁１１ａ及び側壁１１ｂの各々には、制御盤などの被取付部にケース本体２を取り付けるための取付けフランジ１２が設けられている。また、下部ケース１１の側壁１１ａには、図示していないが、図８に示す電磁石ユニット３５のコイル端子３８が入り込む切欠き凹部が設けられており、この切り欠き部にコイル端子３８が入り込むように電磁接触器３をケース本体２の内部に組み込むことで、ケース本体２の外部にコイル端子３８が配置される。
【００１７】
上部ケース１５は、図１乃至図４に示すように、頂壁の中央に凸部を有する２段構造になっている。具体的には、上部ケース１５は、下段の外周側壁を構成する４つの下段側壁１５ａ１，１５ｂ１，１５ｃ１，１５ｄ１と、この４つの下段側壁１５ａ１，１５ｂ１，１５ｃ１，１５ｄ１が連結された下段頂壁１５ｅ１と、この下段頂壁１５ｅ１に連結され、上段の外周側壁を構成する４つの上段側壁１５ａ２，１５ｂ２，１５ｃ２，１５ｄ２と、この４つの上段側壁１５ａ２，１５ｂ２，１５ｃ２，１５ｄ２が連結された上段頂壁１５ｅ２とを有し、この下段頂壁１５ｅ１及び上段頂壁１５ｅ２と対向する下部側が開放された有頂壁矩形箱状で構成されている。下段側壁において、下段側壁１５ａ１及び下段側壁１５ｂ１はＸ方向において互いに対向して配置され、下段側壁１５ｃ１及び下段側壁１５ｄ１はＹ方向において互いに対向して配置されている。また、上段側壁において、上段側壁１５ａ２及び上段側壁１５ｂ２はＸ方向において互いに対向して配置され、上段側壁１５ｃ２及び上段側壁１５ｄ２はＹ方向において互いに対向して配置されている。
【００１８】
上部ケース１５において、上段頂壁１５ｅ２には、ケース本体２に電磁接触器３を収納する際、電磁接触器３の一対の外部接続用導体部３４が貫通してケース本体２から露出する２つの導体部用貫通孔１８が設けられている。また、上段頂壁１５ｅ２には、２つの導体部用貫通孔１８の間を仕切るようにして延伸及び突出する仕切り用突起部１９が設けられている。
【００１９】
なお、図示していないが、下部ケース１１にはケース用被係止部が設けられ、上部ケース１５にはケース用係止部が設けられている。このケース用被係止部にケース用係止部を係止して係止状態とすることにより下部ケース１１に上部ケース１５を取り付けて固定(装着)することができる。
カバー５は、図１、図２及び図４に示すように、平面が長方形状の天板部５ａと、この天板部５ａの各々の角部に設けられた脚部５ｂとを有している。脚部５ｂは、天板部５ａの互いに交わる２つの辺(長辺及び短辺)から天板部５ａに対して垂直方向にそれぞれ突出する長尺状の第１突出板部５ｂ１及び第２突出板部５ｂ２が突出方向に沿って連結されたＬ字形で構成されている。第１の実施形態では、可撓性フック６はカバー５の脚部５ｂで構成されており、図２及び図４に示すように可撓性フック６の係止部７は第２突出板部５ｂ２の一端側に第２突出板部５ｂ２の外側に向かって突出するように設けられた突起（爪）で構成されている。
【００２０】
カバー５は、例えば柔軟性に優れたポリカーボネート(ＰＣ)樹脂で形成されており、Ｘ方向に対向する２つの可撓性フック６を内側(挟持方向)に作業者の握力で容易に撓たわませることができる可撓性を有している。
カバー５において、図２に示すように、天板部５ａの裏面側には、ケース本体２にカバー５を装着する際に、ケース本体２の仕切り用突起部１９が嵌め込まれる嵌合凹部５ｃが設けられている。
【００２１】
上部ケース１５において、図１乃至図５に示すように、下段頂壁１５ｅ１には、ケース本体２にカバー５を装着する際に、カバー５に設けられた可撓性フック６の一端側が挿入されるフック挿入孔１６が設けられている。このフック挿入孔１６はカバー５の可撓性フック６の数に対向して設けられており、第１の実施形態では４つ設けられている。また、フック挿入孔１６は、係止部７の形状に対応して横長形状で構成されている。
【００２２】
第１の実施形態において、被係止部４は、図５に示すように、ケース本体２に設けられたフック挿入孔１６における縁部１６ａで構成されている。すなわち、図５には一方の下段側壁１５ｃ１側しか図示していないが、被係止部４は、下段頂壁１５ｅ１の一部からなり、かつ下段側壁１５ｃ１，１５ｄ１から内側に突出してフック挿入孔１６で終端する突起で構成されている。
【００２３】
スナップフィット機構８は、図６に示すように、ケース本体２のフック挿入孔１６にカバー５の可撓性フック６を挿入し、ケース本体２の内部において被係止部４と係止部７とが係止して係止状態となるように構成されている。また、スナップフィット機構８は、図７に示すように、可撓性フック６がケース本体２の内側に撓むことにより被係止部４と係止部７との係止状態を解除するように構成されている。
【００２４】
撓み規制部９は、図７に示すように、ケース本体２の被係止部４とカバー５の係止部７との係止状態を解除する方向、すなわちケース本体２の内側に可撓性フック６を撓ませる際に、撓んだ可撓性フック６が撓み規制部９に接触することによって可撓性フック６の撓み量を規制するようにケース本体２の一部で構成されている。第１の実施形態では、撓み規制部９は、上部ケース１５の上段側壁１５ｃ２，１５ｄ２で構成されている。撓み規制部９は、可撓性フック６を撓ませてケース本体２の被係止部４とカバー５の係止部７との係止状態を解除しても可撓性フック６に折損が生じないように可撓性フック６の撓み量を規制している。
【００２５】
カバー位置決め用突起部１７は、被係止部４に係止部７を係止する際、図５及び図６に示すように、可撓性フック６の内側で撓み規制部９と共に可撓性フック６と対向する位置に配置されている。そして、カバー位置決め用突起部１７は、撓み規制部９よりも上方に位置し、かつ撓み規制部９よりも可撓性フック６側に位置している。第１の実施形態において、カバー位置決め用突起部１７は、上部ケース１５の上段側壁１５ｃ２，１５ｄ２に設けられている。
【００２６】
ケース本体２へのカバー５の取り付け（装着）は、図４及び図５に示すように、ケース本体２の上段頂壁１５ｅ２上にカバー５を配置し、その後、ケース本体２に向かってカバー５を移動させて、図６に示すように、ケース本体２のフック挿入孔１６に可撓性フック６の係止部７を挿入することによって行う。このカバー５の取り付けにおいて、可撓性フック６の係止部７は傾斜面を有しているので、この傾斜面がフック挿入孔１６における縁部１６ａに接触することにより、可撓性フック６が内側に撓む。その後、傾斜面がフック挿入孔１６の内部に挿入されて係止部７がフック挿入孔１６を貫通することにより、可撓性フック６の撓みが解消されてケース本体２の被係止部４に可撓性フック６の係止部７が係止される。
【００２７】
ケース本体２からのカバー５の取り外し（着脱）は、図７に示すように、可撓性フック６の内側に可撓性フック６を作業者の握力で撓ませてケース本体２の被係止部４と可撓性フック６の係止部７との係止状態を解除し、その後、可撓性フック６を撓ませた状態でケース本体２のフック挿入孔１６から可撓性フック６の一端側を抜き取る方向にカバー５を移動させることによって行う。このカバー５の取り外しにおいて、可撓性フックが撓み規制部に接触することにより、可撓性フックの撓み量が規制される。
【００２８】
次に、本発明の第１の実施形態に係る電気機器用収納ケース１の効果について説明する。
第１の実施形態に係る電気機器用収納ケース１は、被係止部４と係止部７との係止状態を解除する方向に可撓性フック６を撓ませる際の撓み量を規制する撓み規制部９を備えている。この撓み規制部９は、可撓性フック６が接触することによって可撓性フック６の撓み量を規制するように構成されている。したがって、第１の実施形態に係る電気機器用収納ケース１によれば、可撓性フック６を撓ませて被係止部４と係止部７との係止状態を解除しても可撓性フック６に折損が生じないように可撓性フック６の撓み量を撓み規制部９で規制することができるので、可撓性フック６の折損を抑制することができる。
【００２９】
第１の実施形態に係る電気機器用収納ケース１は、ケース本体２にカバー５を位置決めするカバー位置決め用突起部１７を備えている。したがって、第１の実施形態に係る電気機器用収納ケース１によれば、カバー位置決め用突起部１７によりケース本体２にカバー５を容易に位置決めすることができると共に、ケース本体２にカバー５を取り付けた後のケース本体２とカバー５とのガタを小さくすることができる。
【００３０】
第１の実施形態に係る電気機器用収納ケース１において、ケース本体２は、電磁接触器３を収納したときに電磁接触器３の外部接続用導体部３４が露出する導体部用貫通孔１８を有している。そして、カバー５は、導体部用貫通孔１８を覆う位置でケース本体２に装着される。したがって、第１の実施形態に係る電気機器用収納ケース１によれば、ケース本体２に電磁接触器３を収納した後、外部接続用導体部３４に作業者が触れないようにカバー５で保護することができる。
【００３１】
第１の実施形態に係る電気機器用収納ケース１において、カバー５は、平面が方形状の天板部５ａと、この天板部５ａの各々の角部に設けられた脚部５ｂとを有している。そして、可撓性フック６は脚部５ｂで構成されている。したがって、第１の実施形態に係る電気機器用収納ケース１によれば、スナップフィット機構８を各脚部５ｂに対応して設けることができるので、ケース本体２にカバー５を安定して取り付けることができる。
【００３２】
また、脚部５ｂの長さを変えることにより、可撓性フック６を撓ませる力を調整することができる。
なお、ケース本体２へのカバー５の取り付けは、カバー５の取り出しと同様に作業者の握力で可撓性フック６を撓ませて行ってもよい。この場合、可撓性フック６を撓ませて被係止部４に係止部７を係止しても可撓性フック６に折損が生じないように可撓性フック６の撓み量を撓み規制部９で規制することができるので、可撓性フック６の折損を抑制することができる。
【００３３】
(第２の実施形態)
本発明の第２の実施形態に係る電気機器用収納ケース１Ａは、第１の実施形態に係る電気機器用収納ケース１とほぼ同様の構成になっているが、カバー５の構成が異なっている。
すなわち、第１の実施形態に係る電気機器用収納ケース１では、カバー５の脚部５ｂで可撓性フック６を構成した。これに対し、第２の実施形態に係る電気機器用収納ケース１Ａでは、カバー５Ａの脚部５ｂに対して独立して可撓性フック６を構成している。
【００３４】
第２の実施形態に係る電気機器用収納ケース１Ａにおいて、カバー５Ａは、平面が長方形状の天板部５ａと、この天板部５ａの各々の角部に設けられた脚部５ｂと、天板部５ａの縁に設けられた可撓性フック６とを有している。可撓性フック６は、天板部５ａの互い対向する２つの長辺側に互いに対向してそれぞれ設けられている。そして、この可撓性フック６は、第１の実施形態と同様に天板部５ａの長辺の中央部から天板部５ａに対して垂直方向に突出する長尺状の突出板部で構成されている。そして、可撓性フック６の係止部７は突出板部の一端側に突出板部の外側に向かって突出するように設けられた突起（爪）で構成されている。そして、上部ケース１５のフック挿入孔１６は可撓性フック６に対応して２箇所設けられており、スナップフィット機構８も２箇所設けられている。
【００３５】
このように構成された第２の実施形態に係る電気機器用収納ケース１Ａにおいても、上述した第１の実施形態に係る電気機器用収納ケース１と同様の効果が得られる。
以上、本発明を上述の第１及び第２の実施形態に基づき具体的に説明したが、本発明は上述の第１及び第２の実施形態に限定されるものではなく、その要旨を逸脱しない範囲において種々変更可能であることは勿論である。
【００３６】
例えば、上述の第１及び第２の実施形態では、電気機器として電磁接触器を収納する電気機器用収納ケースについて説明したが、本発明はこれに限定されるものではなく、例えばリレーなどの電気機器を収納する電気機器用収納ケースに適用することができる。
【符号の説明】
【００３７】
１…電気機器用収納ケース
２…ケース本体
３…電磁接触器（電気機器）
４…被係止部
５…カバー、５ａ…天板部、５ｂ…脚部、５ｂ１，５ｂ２…突出板部、５ｃ…嵌合凹部
６…可撓性フック
７…係止部
８…スナップフィット機構
９…撓み規制部
１１…下ケース
１１ａ，１１ｂ，１１ｃ，１１ｄ…側壁
１１ｅ…底壁
１２…取付けフランジ
１２ａ…ネジ挿入孔
１５…上ケース
１５ａ１，１５ｂ１，１５ｃ１，１５ｄ１…下段側壁
１５ｅ１…下段頂壁
１５ａ２，１５ｂ２，１７ｃ２，１７ｄ２…上段側壁
１５ｅ２…上段頂壁
１６…フック挿入孔
１６ａ…縁部
１７…カバー位置決め用突起部
１８…導体部用貫通孔
１９…仕切り用突起部
３１…接点部
３２…筒体
３３…絶縁基板
３４…外部接続用導体部
３５…電磁石ユニット
３６…磁気ヨーク
３７…電磁コイル
３８…コイル端子
【図１】
0006503770.tif 000002
【図２】
0006503770.tif 000003
【図３】
0006503770.tif 000004
【図４】
0006503770.tif 000005
【図５】
0006503770.tif 000006
【図６】
0006503770.tif 000007
【図７】
0006503770.tif 000008
【図８】
0006503770.tif 000009
【図９】
0006503770.tif 000010
【図１０】
0006503770.tif 000011